(57)【要約】      （修正有）【課題】ベースベッド部上に入浴用の浴槽を素早く敷設可能な介護用ベッドを提供する。【解決手段】介護用ベッドは、ベースベッド部１０及びベースベッド部１０上に設置される入浴用ベッド部２０を備える。ベースベッド部１０には排出口１３が設けられている。入浴用ベッド部２０は、薄層インフレータブルスペースを有する底部、及び、薄層インフレータブルスペースを包囲するリング層を有する。入浴用ベッド部２０は、空気が充填されていないときベースベッド部１０に敷設しやすく、空気が充填されているときリング層が包囲壁体となり入浴用の浴槽を形成する。また、傾斜面２１上に形成されているヘッドレスト本体２５などが膨らんで隆起すると、病人が持ち上げられ、介護人員が病人の身体を洗いやすくなる。入浴用水は、排水口２１１に集められた後、排出口１３を介して貯水溝まで流される。【選択図】図８
0003209782.tif 000002
【実用新案登録請求の範囲】
【請求項１】
マット支持構造体、及び、前記マット支持構造体上に設置されるマットレスを有し、前記マットレスは、人体臀部の所定の位置に対して排出口を有し、前記排出口の底部には貯水溝が装設されるベースベッド部と、
前記ベースベッド部の底部に装設され、流入管及び流出管を有するヒーター、前記流入管に連結され前記ヒーターに水を供給するために用いられる水槽、前記流出管に連結されるシャワーヘッド、並びに、前記ヒーターの起動と停止及び排水温度の制御に用いられる制御部を有する入浴用水処理部と、
前記ベースベッド部上に敷設されるインフレータブルであって、前記排出口に連通する排水管が設置され前記排水管に連通する排水口及び前記排水口と前記排水管とは隔てられている薄層インフレータブルスペースを有する底部、前記排水口を最低点として四方に向けて迫り上がる傾斜面、前記傾斜面に設置され人体の頭部の位置に対して空気が充満された後に膨張して突出するヘッドレスト本体、前記傾斜面に設置され人体の腰部の位置に対して空気が充満された後に膨張して突出する腰部クッション体、前記傾斜面に設置され人体の脚部の位置に対して空気が充満された後に膨張して突出する脚部クッション体、並びに、前記傾斜面の周囲を包囲し且つ前記薄層インフレータブルスペースと連通し外側に少なくとも１つの空気充填用または空気排出用のエアノズルが設置されるリング層を有する入浴用ベッド部と、
を備え、
前記入浴用ベッド部に空気が充填されていないとき薄くなり、空気が充填されているとき、前記リング層が膨らんで高くなって包囲壁体となり、前記薄層インフレータブルスペースより高くなり、病人の入浴を助ける浴槽が形成され、
入浴用水は、前記傾斜面に沿って前記排水口に向かって流れることによって集められ、前記底部の前記排水管により前記排出口に導水されて前記貯水溝まで流され、
前記ヘッドレスト本体、前記腰部クッション体、及び、前記脚部クッション体が前記傾斜面から突出することによって病人を前記傾斜面上で支えることを特徴とする介護用ベッド。
【請求項２】
前記入浴用ベッド部は、空気が充填されていないとき、前記ヘッドレスト本体と前記腰部クッション体との間に設置され、病人の背部が持ち上げられ、前記入浴用ベッド部の敷設及び空気の充填を行うことが可能な背部クッション体を更に有することを特徴とする請求項１に記載の介護用ベッド。
【請求項３】
前記入浴用ベッド部は、人体の手部の位置に対して前記リング層の２つの内側に空気が充填された後に膨張して突出する手部クッション体を有し、
前記手部クッション体は、前記傾斜面から延びるよう形成されていることを特徴とする請求項１に記載の介護用ベッド。
【請求項４】
前記ベースベッド部の上に架設され、且つ、４本の支持ポールを有する水飛散防止部をさらに備え、
前記支持ポールの底端は、前記ベースベッド部の前記マット支持構造体上には形成されている対称な４つの位置決め孔に嵌入され、
前記支持ポールの上端は、シャワーカーテンが装設可能であって前記ベースベッド部とともに動かすことが可能なフレーム型ガイドレールに固定されることを特徴とする請求項１に記載の介護用ベッド。
【考案の詳細な説明】
【技術分野】
【０００１】
本考案は、介護用ベッドに関し、より詳しくは、ベースベッド部上で病人の温浴を直接介助可能な介護用ベッドに関する。
【背景技術】
【０００２】
高齢化が進むにつれ、高齢者の疾病も増加している。行動の不自由な者、脳梗塞など脳の病変を患った者、中枢神経を損傷した者、麻痺のある者や長期間病床に臥せる必要がある者の多くは、行動能力が欠乏しており、介護用ベッドに長期間寝ていなければならない。このため、患者の移動には、家族や看護者が労力を費やして補助する必要があり、家族や看護者、及び患者にとっても不便であった。また、患者が家族や看護者の協力を得て排泄の問題を解決することは、患者にとっては尊厳が傷付けられることであり、心理的負担も大きかった。
【先行技術文献】
【特許文献】
【０００３】
【特許文献１】特開平０８−１４１０１９号公報
【考案の概要】
【考案が解決しようとする課題】
【０００４】
しかしながら、現在の介護用ベッドでは、患者が介護用ベッド上で直接排泄を簡単且つ便利に行えない設計となっている。一般的には、介護用ベッドの傍に尿瓶を準備し、患者が排尿するとき、尿瓶を使用して排尿を行う。排便したい場合は、トイレに行って排便を行う必要があるため、患者及び介護者にとって極めて不便であった。
【０００５】
また、長期間病床に臥せっている患者にとっては、最も困難なのは入浴である。患者が麻痺状態であったり、体重が重かったり、身体にチューブが取り付けられていたりすると、身体の向きを変えるだけでも困難であり、入浴を手伝うことは多くの労力を必要とする。また、たとえ浴室で入浴できたとしても滑って転ぶ危険があり、長期間入浴しない場合悪臭が発生するため、病人も不快に感じる。このため、家族や介護人員は体を拭くことで入浴の代わりとしているが、拭くだけでは十分清潔とは言えず、病原菌が繁殖して皮膚炎や感染症を引き起こすおそれがある。このように、患者の入浴をどのように助けるかが医療介護者及び家族にとって困難で辛い課題となっている。
【０００６】
空気充填式の入浴用ベッド部は、設計が子供の空気充填式プールに似ており、病人が医療用ベッドに乗っているときは敷設しにくく、入浴設備及び給水は別に準備する必要があるため、便利とは言えない。また、従来の入浴用ベッド部または医療用ベッドの構造は、それぞれ独立した個体であるため、結合させて使用することができず、実用性に乏しかった。
【０００７】
そこで、本考案者は、上記の欠点が改善可能と考え、鋭意検討を重ねた結果、入浴可能なベッドと介護用のベッドとを結合させ、かつ、医療介護者または家族が入浴可能な設備を素早く架設できるようにすることを見出した。
【０００８】
本考案は、上述の問題に鑑みてなされたものであり、その目的は、ベースベッド部上に入浴用の浴槽を素早く敷設可能な介護用ベッドを提供することにある。
また、本考案の他の目的は、ベースベッド部に入浴用浴槽が敷設されていないとき病人がベースベッド部上で直接排泄を行える介護用ベッドを提供することにある。
【課題を解決するための手段】
【０００９】
本考案の介護用ベッドは、ベースベッド部、入浴用水処理部、及び、入浴用ベッド部を備える。
ベースベット部は、マット支持構造体、及び、マット支持構造体上に設置されるマットレスを有する。マットレスは、人体臀部の所定の位置に対して排出口を有し、排出口の底部には貯水溝が装設される。
入浴用水処理部は、ベースベッド部の底部に装設されている。入浴用水処理部は、流入管及び流出管を有するヒーター、流入管に連結されヒーターに水を供給するために用いられる水槽、流出管に連結されるシャワーヘッド、並びに、ヒーターの起動と停止及び排水温度の制御に用いられる制御部を備える。
入浴用ベッド部は、ベースベッド部上に敷設されるインフレータブルである。入浴用ベッド部は、排出口に連通する排水管が設置される底部を有する。底部は、薄層インフレータブルスペース、及び、排水管に連通する排水口を有する。排水口及び排水管は、薄層インフレータブルスペースとは隔てられている。入浴用ベッド部は、排水口を最低点として四方に向けて迫り上がる傾斜面を有する。また、入浴用ベッド部の傾斜面には、人体頭部、腰部及び脚部のそれぞれの位置に対して空気が充満された後に膨張して突出するヘッドレスト本体、腰部クッション体、及び、脚部クッション体が設置されている。また、傾斜面の周囲には、薄層インフレータブルスペースと連通しており、外側には少なくとも１つの空気充填用または空気排出用のエアノズルが設置されるリング層を有する。
【００１０】
本考案の介護用ベッドでは、入浴用ベッド部は空気が充填されていないとき薄くなるためベースベッド部上に入浴用ベッドを敷設しやすくなる。また、空気が充填されているとき、リング層が膨らんで高くなることで包囲壁体となり薄層インフレータブルスペースより高くなるため、病人の入浴を助ける浴槽を形成することができる。また、入浴用水は、傾斜面に沿って排水口に向けて流れて集められるため、底部の排水管により排出口に導水されて貯水溝まで流すことができる。また、ヘッドレスト本体、腰部クッション体、及び、脚部クッション体は、傾斜面から突出しているため、病人が傾斜面上で支えられ、病人の身体を洗いやすくする。
【００１１】
本考案によれば、使用が簡単で、且つ医療介護者または家族が素早く架設して使用できるため、ベースベット部上で病人が素早く直接温浴することを介助することができる。これにより、使用上便利で人にやさしい。また、ベースベット部に入浴用ベッド部が敷設されていないとき、病人がベースベット部上で直接排便でき、ベースベット部及び入浴用ベッド部の両者の相補効果が向上する。
【図面の簡単な説明】
【００１２】
【図１】一実施形態の介護用ベッドにおける入浴用ベッド部の空気が充填されていない状態を示す斜視図である。
【図２】一実施形態の介護用ベッドにおける入浴用ベッド部の空気が充填された状態を示す斜視図である。
【図３】一実施形態の介護用ベッドにおける入浴用ベッド部の空気が充填された状態を示す平面図である。
【図４】図３に示すＩＶ−ＩＶ線断面図である。
【図５】一実施形態の介護用ベッドにおける空気が充填されていない入浴用ベッド部とベースベット部とを分解した模式図である。
【図６】一実施形態の介護用ベッドにおける空気が充填された状態の入浴用ベッド部とベースベット部とを結合した斜視図である。
【図７】図６に示すＶＩＩ−ＶＩＩ線断面図である。
【図８】一実施形態の介護用ベッドにおける空気が充填された状態の入浴用ベッド部とベースベット部とを結合した状態を他の角度から見た斜視図である。
【図９Ａ】一実施形態の介護用ベッドにおける空気が充填されない入浴用ベッド部及び背部クッション体がベースベット部の前半部に位置するときの模式図である。
【図９Ｂ】一実施形態の介護用ベッドにおける空気が充填されていない入浴用ベッド部をベースベット部の後半部に向けて引くときの模式図である。
【図９Ｃ】一実施形態の介護用ベッドにおける空気が充填されていない入浴用ベッド部がベースベット部に全て敷設されているときの模式図である。
【図９Ｄ】一実施形態の介護用ベッドにおける空気が充填されている入浴用ベッド部が病人を支える状態を説明する模式図である。
【図１０】一実施形態の介護用ベッドを使用している状態を示す模式図である。
【考案を実施するための形態】
【００１３】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１４】
以下、一実施形態の介護用ベッドを図１〜１０に基づいて説明する。一実施形態の介護用ベッドは、ベースベッド部１０、及び、ベースベッド部１０上に敷設される入浴用ベッド部２０を備える。図１に示すように、入浴用ベッド部２０に空気が充填されていないとき、入浴用ベッド部２０を薄くすることが可能なため、収納及びベースベッド部１０に敷設する作業が容易になる。
【００１５】
ベースベッド部１０は、マット支持構造体１１及びマット支持構造体１１上に設置されるマットレス１２を備える。マットレス１２は、人体臀部の所定の位置に対して排出口１３が設けられ(図５参照)。排出口１３の底部には、貯水溝１４が装設される(図７参照)。本実施形態では、マット支持構造体１１の左右両側にサイドガード１５が各々設置されている。マットレス１２の昇降及び角度を調整させるための制御ボタン１５１は、サイドガード１５の上表面に設置されている。サイドガード１５の底縁は、一対のヒンジ部材１５２によりマット支持構造体１１に枢着される。これにより、病人の入浴を介助するとき、サイドガード１５を図６に示すように外側に向けて１８０度反転させることによって、家族や看護者が病人の入浴を介助できるようになる。
【００１６】
図６における右側から左側の方向への断面図である図７及び図８に示すように、ベースベッド部１０の底部には、入浴用水処理部３０が設置されている。本実施形態では、入浴用水処理部３０は、図８に示すように、マット支持構造体１１の左側の底部に設置されている。入浴用水処理部３０は、流入管３１１及び流出管３１２を有するヒーター３１、流入管３１１に連結されヒーター３１に水を供給するために用いられる水槽３２、流出管３１２に連結されるシャワーヘッド３３、及び、ヒーター３１の起動と停止及び排水温度の制御に用いられる制御部３４を備える。本実施形態のベースベッド部１０は、一般の医療用ベッドとは異なり、マットレス１２に人体臀部に対する位置に排便に使用される排出口１３及び貯水溝１４が設けられる。また、排出口１３を遮蔽させる図示しない可動板及び排出口１３と貯水溝１４との間に設置される図示しない臀部洗浄装置が更に設置され、患者がベースベッド部１０上で直接排泄を行うことが可能である。但し、ベースベッド部１０での直接排泄及び臀部洗浄装置は、出願者が別途実用新案出願を提出しており、その細部の構造は本実用新案の目的ではないため、詳述は省く。本実施形態では、ベースベッド部１０に入浴用ベッド部２０を更に結合することによってベースベッド部１０上での入浴も可能になる。
【００１７】
入浴用ベッド部２０は、インフレータブルであって、例えば、ポリウレタンで形成されている。ポリウレタンは、製造が簡単であって、無毒であり病人にとってもより快適である。入浴用ベッド部２０の底部２２は、排出口１３に対しての導入のための排水管２２１及び薄層インフレータブルスペース２３を有する。薄層インフレータブルスペース２３は、底部２２上に設けられると共に底部２２との間に形成され、排水管２２１に対する箇所に排水口２１１を有する。排水口２１１及び排水管２２１は、連通しつつ薄層インフレータブルスペース２３とは隔てられている。また、入浴用ベッド部２０は、排水口２１１を最低点として四方に向けて迫り上がる傾斜面２１を有する。傾斜面２１には、人体頭部、腰部及び脚部のそれぞれの位置に対して空気が充填された後に膨張して突出するヘッドレスト本体２５、腰部クッション体２６、及び、脚部クッション体２７が設置されている。また、底部２２及び傾斜面２１の周囲には、薄層インフレータブルスペース２３と連通しており外側に少なくとも１つの空気充填用または空気排出用のエアノズル２４１が設置されるリング層２４を有する。
【００１８】
本実施形態では、入浴用ベッド部２０は、人体手部の位置に対して、リング層２４の２つの内側に空気が充填された後に膨張して突出する手部クッション体２８が傾斜面２１から延びるよう形成されている。
【００１９】
また、本実施形態では、入浴用ベッド部２０の空気が充填されていないとき、ヘッドレスト本体２５及び腰部クッション体２６の間に設置されて病人の背部が持ち上げられ入浴用ベッド部２０の敷設及び空気の充填が行いやすくなる空気が充填可能な背部クッション体２９を更に有する。
【００２０】
このように、入浴用ベッド部２０は、空気が充填されていないとき薄くなり、ベースベッド部１０に敷設しやすくなる。空気が充填されるとリング層２４が膨らんで高くなって包囲壁体となり、且つ薄層インフレータブルスペース２３より高くなるため、病人の入浴を介助するための浴槽形体が形成される。また、入浴用水は傾斜面２１から排水口２１１に向けて流れて集められ、底部２２の排水管２２１を経て排出口１３に導水されて貯水溝１４まで流される。なお、ヘッドレスト本体２５、腰部クッション体２６、及び脚部クッション体２７は、傾斜面２１から突出し病人を傾斜面２１上で支えるため、病人の身体を洗浄しやすくなる。
【００２１】
図９は、入浴用ベッド部２０がベースベッド部１０に敷設される概略図である。
図９Ａに示すように、病人のベッドシーツを交換するように、病人の上半身を起こし、空気が充填されていない入浴用ベッド部２０及び背部クッション体２９を先ずベースベッド部１０の前半部(頭部の側)に置く。
【００２２】
次に、図９Ｂに示すように、病人を寝せて、背部クッション体２９を利用して病人の背部を持ち上げ、空気が充填されていない入浴用ベッド部２０をベースベッド部１０の後半部(脚部の側)に向けて引くと、図９Ｃに示すように、空気が充填されていない入浴用ベッド部２０がベースベッド部１０に全て敷設される。
【００２３】
最後に、図９Ｄに示すように、入浴用ベッド部２０に空気を充填させる。図４及び図７は入浴用ベッド部２０の空気が充填されたときの断面図である。
【００２４】
本実施形態では、リング層２４が底部２２及び傾斜面２１の周囲を包囲しつつ薄層インフレータブルスペース２３と連通しているため、エアノズル２４１から空気を充填させるだけでリング層２４及び薄層インフレータブルスペース２３に空気を充満させることができる。また、ヘッドレスト本体２５、腰部クッション体２６、脚部クッション体２７、及び、手部クッション体２８が隆起するため、病人が持ち上げられ医療介護者または家族が洗浄作業を行いやすくなる。
【００２５】
特に、病人を動かさずに病人の背部を洗浄でき、病人の基本的な洗浄及び快適性を高める要求を達成させる。最も重要な点は、本来のベースベッド部１０で入浴を行うことができ、病人を動かす必要がないのみならず、入浴用ベッド部２０が未使用の場合には収納も便利であるため介護者の負担が減少することができる。また、病人にとっても、身体を清潔に保つことができる上、自尊心も保たれる。
【００２６】
図１０は、本実施形態の介護用ベッドの使用状態を示す参考図である。ベースベッド部１０のマット支持構造体１１には、対称な４つの位置決め孔１６が設けられている。水飛散防止部４０は、位置決め孔１６を利用してベースベッド部１０の上に架設される。しかしながら、使用状態はこれに限定されない。４本の支持ポール４１の底端を位置決め孔１６に嵌入し、上端をフレーム型ガイドレール４２に固定する。これにより、シャワーカーテン４３が装設可能であってベースベッド部１０とともに動かすことが可能であるため、病人の入浴を介助するとき、入浴用水の飛散を防止することができるため、病人のプライバシーも護られる。
【００２７】
上述の実施形態は、本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００２８】
１０  ベースベッド部
１１  マット支持構造体
１２  マットレス
１３  排出口
１４  貯水溝
１５  サイドガード
１５１  制御ボタン
１５２  ヒンジ部材
１６  位置決め孔
２０  入浴用ベッド部
２１  傾斜面
２１１  排水口
２２  底部
２２１  排水管
２３  薄層インフレータブルスペース
２４  リング層
２５  ヘッドレスト本体
２６  腰部クッション体
２７  脚部クッション体
２８  手部クッション体
２９  背部クッション体
３０  入浴用水処理部
３１  ヒーター
３１１  流入管
３１２  流出管
３２  水槽
３３  シャワーヘッド
３４  制御部
４０  水飛散防止部
４１  支持ポール
４２  フレーム型ガイドレール
４３  シャワーカーテン
【図１】
0003209782.tif 000003
【図２】
0003209782.tif 000004
【図３】
0003209782.tif 000005
【図４】
0003209782.tif 000006
【図５】
0003209782.tif 000007
【図６】
0003209782.tif 000008
【図７】
0003209782.tif 000009
【図８】
0003209782.tif 000010
【図９Ａ】
0003209782.tif 000011
【図９Ｂ】
0003209782.tif 000012
【図９Ｃ】
0003209782.tif 000013
【図９Ｄ】
0003209782.tif 000014
【図１０】
0003209782.tif 000015